(57)【要約】【課題】患者の救急処置や物品の手入れのために、所定の一連の手順で使用すべき複数の物品を収納した携帯具であって、何人でも収納された物品を適切な使用方法、使用順序、組み合わせで使用することができる携帯具を提供する。【解決手段】患者の救急処置又は物品の手入れのために所定の一連の手順及び組み合わせで使用すべき複数の物品を収納した携帯具であり、一方の面ｘ１に物品が保持される複数の保持部ａが設けられた物品収納用の布体Ｘを備え、複数の保持部ａは、それぞれが保持する物品の使用順に又は／及び使用上の組み合わせに応じて配置され、各保持部ａには、それぞれが保持する物品名が表示されている。【選択図】図３
2013128739.tif 000002
【特許請求の範囲】
【請求項１】
患者の救急処置又は物品の手入れのために所定の一連の手順及び組み合わせで使用すべき複数の物品を収納した携帯具であり、
一方の面（ｘ１）に物品が保持される複数の保持部（ａ）が設けられた物品収納用の布体（Ｘ）を備え、
複数の保持部（ａ）は、それぞれが保持する物品の使用順に又は／及び使用上の組み合わせに応じて配置され、
各保持部（ａ）には、それぞれが保持する物品名が表示されていることを特徴とする、複数の物品を収納した携帯具。
【請求項２】
布体（Ｘ）の面（ｘ１）には、物品の使用順を示す矢印が表示されていることを特徴とする、請求項１に記載の複数の物品を収納した携帯具。
【請求項３】
救急処置用の医薬品及び用具が収納された携帯具であり、
使用者が身につける用具及び患者管理用の用具以外の物品を保持する保持部（ａ）は、患者の症状別に区分けされ、
少なくとも一部の保持部（ａ）は、トリアージ区分カテゴリーによる色で識別され、
少なくとも一部の保持部（ａ）には、物品の使用方法又は／及び使用上の注意書きが表示されていることを特徴とする、請求項１又は２に記載の複数の物品を収納した携帯具。
【請求項４】
布体（Ｘ）には、患者管理者に対して重症度・緊急度の判断の参考を与えるための表示が付されていることを特徴とする、請求項１〜３のいずれかに記載の複数の物品を収納した携帯具。
【請求項５】
布体（Ｘ）には、患者に関する情報を記入する欄が表示されていることを特徴とする、請求項１〜４のいずれかに記載の複数の物品を収納した携帯具。
【請求項６】
布体（Ｘ）には、患者管理者が関係各機関に情報伝達するためのフォーマットが表示されていることを特徴とする、請求項１〜５のいずれかに記載の複数の物品を収納した携帯具。
【請求項７】
布体（Ｘ）の他方の面（ｘ２）には、救急処理を開始する前に確認すべき事項が表示されていることを特徴とする、請求項１〜６のいずれかに記載の複数の物品を収納した携帯具。
【請求項８】
銃の手入れ用の薬品及び用具が収納された携帯具であり、
布体（Ｘ）に、使用時の注意事項が表示され、弾抜け及び弾倉外しの確認の文言が表示されるとともに、手入れ時における弾倉の配置位置が表示されていることを特徴とする、請求項１又は２に記載の複数の物品を収納した携帯具。
【請求項９】
双眼鏡等の光学機器の手入れ用の薬品及び用具が収納された携帯具であり、
布体（Ｘ）に、使用時の注意事項が表示されていることを特徴とする、請求項１又は２に記載の複数の物品を収納した携帯具。
【発明の詳細な説明】
【技術分野】
【０００１】
本発明は、患者の救急処置や物品の手入れのために、所定の一連の手順及び組み合わせで使用すべき複数の物品を収納した携帯具に関する。ここで、所定の一連の手順及び組み合わせで使用すべき複数の物品とは、例えば、救急処置用の医薬品及び用具、銃の手入れ用の薬品及び用具、双眼鏡等の光学機器の手入れ用の薬品及び用具等である。
【背景技術】
【０００２】
以下、患者の救急処置や物品の手入れ等のために、所定の一連の手順及び組み合わせで使用すべき複数の物品とこれらを収納した従来の携帯具について述べる。
〈救急処置用の医薬品及び用具〉
例えば、事故や災害が発生した時に、重度の外傷を負ったり、外傷によらない心肺機能の不全があった場合、病院での根本的な治療が受けられるまでの間、救急処置により症状の悪化防止や容態の安定化を図る必要がある。
重度の外傷を負った時は、受傷直後の患者本人又は周囲の人による救急処置の内容が、患者の生死や予後に大きな影響を及ぼす。また、外傷を主たる原因としない心肺停止の場合は、心肺停止直後の数分間の対応が患者の生死や社会復帰に大きな影響を及ぼす。
【０００３】
従来、救急処置用の医薬品及び用具を納めた携帯品（携行具）が使用されているが、従来のこの種の携帯具は、医薬品や用具が単に収納されているだけであり、それをどのように使用するかは、使用者の医学・薬学的知識とこれに基づく判断に委ねられている。
しかし、携帯具を使用する者は、患者本人が使用者である場合を含めて、十分な医学・薬学知識を備えているとは限らず、むしろそうでないケースの方が多いと考えられる。したがって、それらの者が、携帯具に収納された医薬品や用具を適切な使用方法、使用順序、組み合わせで使用することは非常に難しいと言える。
【０００４】
近年の医薬品の進歩は、止血剤などに見られるように、重度外傷者のセルフケア、セルフメディケーションを相当な水準まで可能にしてきている。しかし、このように進歩した医薬品や用具が上記のような携帯具に納められていても、その使用方法や使用順序、組み合わせなどが適切でないと、本来の効果が得られないだけでなく、却って患者に危険が及ぶ恐れもある。また、十分な医学・薬学知識を備えていても、災害時のような強度のストレス状況下では使用時の判断を誤る恐れもある。例えば、（1）患者の症状を冷静に判断することなく、いきなり患者にとりつき処置を行ってしまう、（2）マスクや手袋装着等の感染防護を忘れる、（3）止血剤の使い方を誤る、などのようなことが起こり得る。
【０００５】
〈銃の手入れ用の薬品及び用具〉
銃を使用した時は、使用（射撃）後の手入れを適切に行うことが、安全管理及び銃の機能維持の上で非常に重要である。銃の手入れは、薬品を使う順番、薬品を使ってから静置する時間、銃身等にブラシを通す方向、などがすべて細かく決められている。しかし、銃を取り扱っている者でも、誤った手入れを行っているケースが少なからず存在する。これは、銃手入れの教育が不十分であること、また、一定の水準の知識を備えた者が、自らの判断で必要な薬品や用具を用意していたためである。
銃手入れに用いられる薬品や器具は年々進歩してきているが、手入れに使用する薬品は煤や金属を溶かすものであるため、取り扱いに注意を要するものであり、また、器具の不適切な使用は銃の射撃精度に大きな影響を及ぼすものであるから、銃手入れに用いられる薬品や器具を適切な使用方法、使用順序、組み合わせで使用することが非常に重要である。
【０００６】
〈双眼鏡等の光学機器の手入れ用の薬品及び用具〉
双眼鏡等の光学機器を使用した時は、使用後の手入れを適切に行うことが双眼鏡等の光学機器の機能維持の上で非常に重要である。双眼鏡等の光学機器の手入れは、薬品を使う順番、用具の使用法などがすべて細かく決められている。しかし、長い期間、双眼鏡等の光学機器を取り扱っている者でも、誤った手入れを行っているケースが少なからず存在する。これは、双眼鏡等の光学機器手入れの教育が不十分であること、また、一定の水準の知識を備えた者が、自らの判断で必要な薬品や用具を用意していたためである。しかし、双眼鏡等の光学機器を手入れするための薬品は、引火性を有し、取り扱いに注意を要するものであるし、用具の不適切な使用は、レンズの機能維持に大きな影響を及ぼすものであるから、双眼鏡等の光学機器手入れに用いられる薬品や用具を適切な使用方法、使用順序、組み合わせで使用することが非常に重要である。
【発明の概要】
【発明が解決しようとする課題】
【０００７】
したがって本発明の目的は、以上のような従来技術の課題を解決し、患者の救急処置や物品の手入れのために、所定の一連の手順で使用すべき複数の物品を収納した携帯具であって、何人でも収納された物品を適切な使用方法、使用順序、組み合わせで使用することができる携帯具を提供することにある。
また、本発明の他の目的は、患者の救急処置のために、所定の一連の手順及び組み合わせで使用すべき複数の医薬品及び用具を収納した携帯具であって、特別な医学的・薬学的知識がない者であっても、収納された医薬品及び用具を適切な使用方法、使用順序、組み合わせで使用することができ、これにより、患者に必要とされる救急処置を適切に行うことができる携帯具を提供することにある。
【０００８】
また、本発明の他の目的は、銃の手入れ用に所定の一連の手順及び組み合わせで使用すべき複数の薬品及び用具を収納した携帯具であって、何人でも収納された薬品及び用具を適切な使用方法、使用順序、組み合わせで使用することができ、これにより、必要とされる銃の手入れを適切且つ安全に行うことができる携帯具を提供することにある。
また、本発明の他の目的は、双眼鏡等の光学機器の手入れ用に所定の一連の手順及び組み合わせで使用すべき複数の薬品及び用具を収納した携帯具であって、何人でも収納された薬品及び用具を適切な使用方法、使用順序、組み合わせで使用することができ、これにより、必要とされる双眼鏡等の光学機器の手入れを適切且つ安全に行うことができる携帯具を提供することにある。
【課題を解決するための手段】
【０００９】
上記課題を解決するための本発明の要旨は以下のとおりである。
［1］患者の救急処置又は物品の手入れのために所定の一連の手順及び組み合わせで使用すべき複数の物品を収納した携帯具であり、一方の面（ｘ１）に物品が保持される複数の保持部（ａ）が設けられた物品収納用の布体（Ｘ）を備え、複数の保持部（ａ）は、それぞれが保持する物品の使用順に又は／及び使用上の組み合わせに応じて配置され、各保持部（ａ）には、それぞれが保持する物品名が表示されていることを特徴とする複数の物品を収納した携帯具。
［2］上記［1］の携帯具において、布体（Ｘ）の面（ｘ１）には、物品の使用順を示す矢印が表示されていることを特徴とする複数の物品を収納した携帯具。
【００１０】
［3］上記［1］又は［2］の携帯具において、救急処置用の医薬品及び用具が収納された携帯具であり、使用者が身につける用具及び患者管理用の用具以外の物品を保持する保持部（ａ）は、患者の症状別に区分けされ、少なくとも一部の保持部（ａ）は、トリアージ区分カテゴリーによる色で識別され、少なくとも一部の保持部（ａ）には、物品の使用方法又は／及び使用上の注意書きが表示されていることを特徴とする複数の物品を収納した携帯具。
［4］上記［1］〜［3］のいずれかの携帯具において、布体（Ｘ）には、患者管理者に対して重症度・緊急度の判断の参考を与えるための表示が付されていることを特徴とする複数の物品を収納した携帯具。
［5］上記［1］〜［4］のいずれかの携帯具において、布体（Ｘ）には、患者に関する情報を記入する欄が表示されていることを特徴とする複数の物品を収納した携帯具。
【００１１】
［6］上記［1］〜［5］のいずれかの携帯具において、布体（Ｘ）には、患者管理者が関係各機関に情報伝達するためのフォーマットが表示されていることを特徴とする複数の物品を収納した携帯具。
［7］上記［1］〜［6］のいずれかの携帯具において、布体（Ｘ）の他方の面（ｘ２）には、救急処理を開始する前に確認すべき事項が表示されていることを特徴とする複数の物品を収納した携帯具。
［8］上記［1］又は［2］の携帯具において、銃の手入れ用の薬品及び用具が収納された携帯具であり、布体（Ｘ）に、使用時の注意事項が表示され、弾抜け及び弾倉外しの確認の文言が表示されるとともに、手入れ時における弾倉の配置位置が表示されていることを特徴とする複数の物品を収納した携帯具。
［9］上記［1］又は［2］の携帯具において、双眼鏡等の光学機器の手入れ用の薬品及び用具が収納された携帯具であり、布体（Ｘ）に、使用時の注意事項が表示されていることを特徴とする複数の物品を収納した携帯具。
【発明の効果】
【００１２】
本発明の携帯具は、何人でも収納された物品を適切な使用方法、使用順序、組み合わせで使用することができる。
また、携帯具に収納された物品が、患者の救急処置のために所定の一連の手順及び組み合わせで使用すべき複数の医薬品及び用具である場合には、特別な医学的・薬学的知識がない者であっても、収納された医薬品及び用具を適切な使用方法、使用順序、組み合わせで使用することができ、これにより、患者に必要とされる救急処置を適切に行うことができる。
【００１３】
また、携帯具に収納された物品が、銃の手入れ用に所定の一連の手順及び組み合わせで使用すべき複数の薬品及び用具である場合には、何人でも収納された薬品及び用具を適切な使用方法、使用順序、組み合わせで使用することができ、これにより、必要とされる銃の手入れを適切且つ安全に行うことができる。
また、携帯具に収納された物品が、双眼鏡等の光学機器の手入れ用に所定の一連の手順及び組み合わせで使用すべき複数の薬品及び用具である場合には、何人でも収納された薬品及び用具を適切な使用方法、使用順序、組み合わせで使用することができ、これにより、必要とされる双眼鏡等の光学機器の手入れを適切且つ安全に行うことができる。
【図面の簡単な説明】
【００１４】
【図１】本発明の一実施形態を示すもので、携帯具を構成する布体Ｘを拡げた状態（但し、保持部ａに保持された物品ｇの図示を省略してある）で示す平面図
【図２】図１の実施形態において、携帯具を構成する布体Ｘを拡げた状態で示す背面図
【図３】図１の実施形態において、携帯具を構成する布体Ｘを拡げた状態（但し、保持部ａに保持された物品ｇを仮想線で示してある）で示す平面図
【図４】図１の実施形態において、携帯具を構成する拡げた状態の布体ＸとカバーＹを示す斜視図
【図５】図１の実施形態において、折り畳まれた布体ＸをカバーＹから取り出した状態を示す斜視図
【図６】本発明の他の実施形態を示すもので、携帯具を構成する布体Ｘを拡げた状態（但し、保持部ａに保持された物品の図示を省略してある）で示す平面図
【図７】図６の実施形態において、携帯具を構成する布体Ｘを拡げた状態で示す背面図
【図８】図６の実施形態において、携帯具を構成する布体Ｘを拡げた状態（但し、保持部ａに保持された物品ｇを仮想線で示してある）で示す平面図
【図９】図６の実施形態において、折り畳まれた布体Ｘを示す斜視図
【図１０】本発明の他の実施形態を示すもので、携帯具を構成する布体Ｘを拡げた状態（但し、保持部ａに保持された物品ｇの図示を省略してある）で示す平面図
【図１１】図１０の実施形態において、携帯具を構成する布体Ｘを拡げた状態（但し、保持部ａに保持された物品ｇを仮想線で示してある）で示す平面図
【図１２】図１０の実施形態において、折り畳まれた布体Ｘを示す斜視図
【発明を実施するための形態】
【００１５】
本発明は、患者の救急処置又は物品の手入れのために所定の一連の手順及び組み合わせで使用すべき複数の物品を収納した携帯具である。ここで、所定の一連の手順及び組み合わせで使用すべき複数の物品とは、例えば、救急処置用の医薬品及び用具、銃の手入れ用の薬品及び用具、双眼鏡等の光学機器の手入れ用の薬品及び用具等である。
図１〜図５は本発明の一実施形態を示すもので、図１は携帯具を構成する布体Ｘを拡げた状態（但し、保持部ａに保持された物品ｇの図示を省略してある）で示す平面図、図２は布体Ｘを拡げた状態で示す背面図、図３は布体Ｘを拡げた状態（但し、保持部ａに保持された物品ｇを仮想線で示してある）で示す平面図、図４は拡げた状態の布体ＸとカバーＹを示す斜視図、図５は折り畳まれた布体ＸをカバーＹから取り出した状態を示す斜視図である。
【００１６】
本実施形態の携帯具は、救急処置用の医薬品及び用具が収納された携帯具であり、この携帯具は、物品を保持するための布体Ｘと、この布体Ｘを収納するカバーＹと、このカバーＹと布体Ｘを連結する連結コードｃから構成されている。
布体Ｘの一方の面ｘ１（おもて面）には、物品ｇが保持される複数の保持部ａ１，ａ２・・ａｎが設けられている。これら複数の保持部ａは、それぞれが保持する物品ｇの使用順に又は／及び使用上の組み合わせに応じて配置されるとともに、各保持部ａには、それぞれが保持する物品名が表示されている。
本実施形態では、保持部ａ５以外の各保持部ａは、両端が布体Ｘに固着されたゴムバンドで構成されている。一部の保持部ａ（ゴムバンド）は、患者の緊急度、重症度を表すトリアージ区分カテゴリーによる色で識別され、また、一部の保持部ａには、物品の使用方法又は／及び使用上の注意書きが表示されている。
【００１７】
布体Ｘの面ｘ１の左端には、使用者が身につける用具であるマスクｇ１と手袋ｇ２をそれぞれ保持する保持部ａ１，ａ２が設けられ、これら保持部ａ１，ａ２には、物品名の下に使用方法又は／及び使用上の注意書きが表示されている。また、面ｘ１の右端には、患者管理用の用具であるレスキューシートｇ１１の保持部ａ１１が設けられている。このレスキューシートｇ１１は主に患者の体温を下げないようにする保温シートとして使用するものであるが、その保持部ａ１１の物品名の下には、使用方法又は／及び使用上の注意書きが表示されている。
【００１８】
上述した使用者が身につける用具（マスクｇ１、手袋ｇ２）及び患者管理用の用具（レスキューシートｇ１１）以外の物品ｇを保持する保持部ａは、患者の症状別に区分けされており、面ｘ１の上段側には、外傷によらない心肺停止に対する心肺蘇生時に使用する用具を保持する保持部ａが設けられ、同じく上段〜中段には、胸部外傷の救急処置に使用する用具を保持する保持部ａが設けられ、同じく下段には、重度の外傷の救急処置に使用する医薬品及び用具を保持する保持部ａが設けられている。そして、区分けされた各領域には、それぞれの症状と処置の基本的な注意事項が表示されている。
【００１９】
具体的には、面ｘ１の上段左端には、外傷によらない心肺停止時の症状（「大きな外傷無・呼吸無」）と右方向を指す矢印（→）が表示され、その矢印の先（右側）には、外傷によらない心肺停止に対する心肺蘇生（人工呼吸）を行うマウスピースｇ３を保持する保持部ａ３が設けられている。
また、面ｘ１の中段左端には、外傷の処置に対応して、感染予防のためにマスクと手袋の装着を促す表示（「感染予防・マスク装着・手袋装着」）があり、その表示から下方向を指す矢印（→）が表示され、その矢印の先（下側）には、前記マスクｇ１と手袋ｇ２をそれぞれ保持する保持部ａ１，ａ２が設けられている。
【００２０】
また、前記マスクと手袋の装着を促す表示の右側には、症状が胸部外傷であることと右方向を指す矢印（→）が表示され、その矢印の先（右側）には、胸部外傷を密閉するための密閉フィルムｇ４を保持する保持部ａ４が設けられるとともに、同矢印の近傍（直下側）には、密閉フィルムｇ４の固定等のために使用するテープｇ５を保持する保持部ａ５が設けられている。なお、この保持部ａ５は、ロール状のテープを保持する紐とその両端を布体Ｘに係止する係止孔等で構成されている。前記保持部ａ４，ａ５には、物品名の下に使用方法又は／及び使用上の注意書きが表示されている。
【００２１】
前記保持部ａ５の下方（面ｘ１の下段左端寄り）には、右方向を指す矢印（→）が表示され、その下方には止血帯ｇ６を保持する保持部ａ６が設けられている。また、同矢印の先（右側）には、大きな外傷があるときの注意書き（「大きな外傷にはまず止血」）が表示されるとともに、右方向に向かって順に、はさみｇ７を保持する保持部ａ７、ガーゼ包帯ｇ８を保持する保持部ａ８、止血剤ｇ９を保持する保持部ａ９、救急包帯ｇ１０を保持する保持部ａ１０がそれぞれ設けられている。そして、この保持部ａ１０の右側に前記保持部ａ１１が設けられている。また、前記保持部ａ８，ａ９には、物品名の下に使用方法又は／及び使用上の注意書きが表示されている。
【００２２】
以上の保持部ａのうち、保持部ａ３，ａ４のゴムバンドは赤色（トリアージ区分カテゴリーで「緊急治療が必要である」ことを示す）に、保持部ａ６のゴムバンドは黄色（トリアージ区分カテゴリーで「待期治療が必要である」ことを示す）に、保持部ａ７〜ａ１０のゴムバンドは緑色（トリアージ区分カテゴリーで「軽症」を示す）にそれぞれ色分けされ、患者の緊急度、重症度を表すトリアージ区分カテゴリーによる色で識別されている。
また、面ｘ１には、患者管理者に対して重症度・緊急度の判断の参考を与えるための表示（上記ゴムバンドの色分けの意義を示す表示）、すなわち、「赤：緊急治療（直ちに後送・治療）、黄：待期治療（急いで後送・治療）、緑：軽症」の表示が付されている。
【００２３】
布体Ｘの他方の面ｘ２（うら面）には、患者（この携帯具の所持者）に関する情報（例えば、氏名、住所、電話番号、血液型、アレルギー、服用中の薬など）を記入する欄が表示（図２，図５のα）され、さらに、救急処理を開始する前に確認すべき事項（救助要請の確認、周囲の安全確認など）が表示（図２，図５のβ）されている。
また、布体Ｘには、患者管理者が関係各機関に情報伝達するためのフォーマットが表示されている。本実施形態では、面ｘ２に透明な袋状の保持部ｂ１が設けられ、この保持部ｂ１に上記フォーマットが表示された紙片を保持させている。このフォーマットが表示された紙片の保持部ｂ１は、様式の変更、関係各機関、自治体毎の違いに対応できるようポケット式となっている。フォーマットは、例えば、以下のようなものである。
【００２４】
「9-Line Medical Evacuation（後送の９行要請）
Line 1  Location of the pickup site.
（傷病者の掌握場所）
Line 2  Radio frequency, call sign, and
suffix.
（周波数、呼び出し符号）
Line 3  Number of patients by precedence.
（傷病者の人数と優先順位）
Line 4  Special equipment required.
（必要となる特殊装備）
Line 5  Number of patients by type.
（Litter & Ambulatory）
（傷病者の種類別人数  担送か歩行可能か）
Line 6  Security at pickup site.(Wartime)
（傷病者の掌握場所の安全性）
Number of Patients of wounded, injured or illness. (Peacetime)
（戦闘傷者、外傷者、疾患の患者数）
Line 7  Method of marking pickup site.
（傷病者の掌握場所の標示方法）
Line 8  Patient nationality and status.
（傷病者の国籍と所属）
Line 9  Nuclear, Biological, and Chemical
(NBC) contamination..(Wartime)
（傷病者の汚染の有無：有時）
Terrain Description (Peacetime)
（場所の詳細：平時）」
また、本実施形態では、面ｘ２に透明な袋状の保持部ｂ２が設けられ、この保持部ｂ２に日本国標準トリアージタッグや救急医療票等の記録用紙を保持させている。
【００２５】
以上のように複数の保持部ａを有し、各保持部ａに医薬品・用具が保持された布体Ｘは、仮想線ｅで示す位置に沿って折り畳まれた後、ロール状に巻かれ、布体Ｘに付設された紐ｄで縛られた状態で、カバーＹに収納され、携帯具として使用される。
布体ＸやカバーＹの材質は任意であり、織布、不織布のいずれでもよいし、また、各保持部ａの構成や材質も任意であり、ゴムバンドではなく、例えば袋状の保持部としてもよい。
【００２６】
以下、事故や災害により負傷者が発生した場合における本実施形態の携帯具（救急処置用の医薬品及び用具が収納された携帯具）の使用例を説明する。以下、携帯具に収納された各物品ｇを使用するとは、それらを各保持部ａから取り外して使用することを意味する。
（１）安全確保と応援要請
事故や災害には、携帯具を用いた負傷者に対する救急処置に先立ち、まず、安全確保と応援要請を行う。すなわち、当該環境（現場）の安全化を実施するとともに、負傷者発生の通報と応援を要請する。その上で、処置者は以下のような手順で携帯具を用いて負傷者に対する救急処置を行う。
（２）感染予防
まず、感染予防のために、マスクｇ１と手袋ｇ２を装着する。
また、はさみｇ７で切り取った患者の衣服や使用した衛生資材等の患者の血液や体液が付着しているものは、感染性廃棄物と判るように廃棄する。
【００２７】
（３）救急処置の実施
（ｉ）大きな外傷が無く、心肺が停止している場合
マウスピースｇ３を患者の口に当てて口対口の人工呼吸を行う。国際蘇生法ガイドライン２０１０に従って心配蘇生を実施する。この場合、ＡＥＤを務めて早く手配する。（重症度・緊急度のトリアージ区分は赤）
（ii）胸部穿通性外傷がある場合
直ちに密閉フィルムｇ４（チェストシール）で胸部の創を密閉する。開放性気胸が疑われ、１方向弁が必要な場合はテープｇ５と密閉フィルムｇ４を用いて３辺テーピングを実施する。（重症度・緊急度のトリアージ区分は赤）
（iii）フレイルチェストの場合
ガーゼ包帯ｇ８とテープｇ５にてフレイルセグメント（ろっ骨の複数同時に骨折した部分）を固定する当て物を作り、テープｇ５にて患者の胸部受傷部位に当てもの（例えば、ガーゼ包帯ｇ８で作った当てもの）を当て、テープｇ５を半周に渡らせて固定する。（重症度・緊急度のトリアージ区分は赤）
【００２８】
（iv）四肢からの大出血がある場合
止血帯ｇ６を四肢の根元にかけ、緊縛止血を行う。止血が完了したならば、はさみｇ７で傷口周囲の衣服を切り取る。ガーゼ包帯ｇ８にて創部の血液や体液を拭き取る。止血剤ｇ９を創口に当て1〜数分圧迫する。
止血剤ｇ９により止血できるのであれば、止血帯ｇ６を緩める。止血剤ｇ９だけでは止血できないのであれば、止血帯ｇ６と併用する。もう１本止血帯ｇ６を使うことができるのであれば、より四肢を温存できる箇所に止血帯ｇ６をかけ換える。（重症度・緊急度のトリアージ区分は黄）
（ｖ）腸管脱出がある場合
ガーゼ包帯ｇ９を湿らせて腸管を覆い、その上からレスキューシートｇ１１でラッピングする。（重症度・緊急度のトリアージ区分は黄）
【００２９】
（vi）火傷がある場合
レスキューシートｇ１１でラッピングする。（火傷の部位、深度、面積によるが、ショック状態であれば、重症度・緊急度のトリアージ区分は黄）
（vii）活動性出血がある場合
指圧止血で止血できるのであれば、止血完了後、はさみｇ７で傷口周囲の衣服を切り取る。ガーゼ包帯ｇ８にて創部の血液や体液を拭き取る。止血剤ｇ９を創口に当て１〜数分圧迫する。止血できたのであれば、創部を救急包帯ｇ１０で被覆する。
指圧止血で止血できない場合は、直接止血剤ｇ９を創口に当て１〜数分圧迫する。止血できたのであれば、創部を救急包帯ｇ１０で被覆する。（出血のコントロール具合、容態の安定度によるが、ショック状態であれば重症度・緊急度のトリアージ区分は黄色）
【００３０】
（４）患者管理
レスキューシートｇ１１によって患者の体温管理を行う。
（５）記録とトリアージ
患者の氏名・連絡先・病歴・既往症等、身元確認や治療の参考となる基礎情報を掌握する。フォーマットが表示され保持部ｂ１に保持された紙片に、患者の主な外傷及び症状などと、行った救急処置を記録する。また、使用した衛生資材を固定するバンドと使用区分の色状況から患者の緊急度・重症度を判定し、トリアージ区分を行い、保持部ｂ２に保持されたトリアージタッグ等に記録する。また、病院に搬入されるまでの間の容態変化を、保持部ｂ２に保持されたトリアージタッグ等に記録する。
（６）報告
METHANEや9Line等、それぞれの機関で標準化された様式に基づき報告を行う。
【００３１】
救急処置用の医薬品・用具を収納する携帯具（携行具）には、（a）個人で携行できる大きさ重量であること、（b）収納される医薬品・用具は効果的かつ適切な選定がなされたものであること、（c）収納される医薬品・用具は使用する順番に順序よく、若しくは適切な組み合わせがなされるよう配置されていること、（d）使用者に対し、使用時の注意喚起を促すものであること、（e）患者管理者に対し、重症度・緊急度の判断の参考を与えるものであること、（f）患者管理者や関係各機関に対し、適切な情報伝達の参考を与えるものであること、（g）患者治療者に対し、患者に関する情報を適切に与えるものであること、（h）医療従事者以外への救急法教育を効果的に行えるものであること、などが求められるが、上述した本発明の携帯具は、これらの要求を全て満足させることができる。また、なによりも、特別な医学的・薬学的知識がない者であっても、収納された医薬品及び用具を適切な使用方法、使用順序、組み合わせで使用することができ、これにより、患者に必要とされる救急処置を適切に行うことができる。
【００３２】
したがって、本発明の携帯具によれば、平素の救急サービスが受けられないアウトドア活動や災害時、戦争や危険を伴うスポーツ等の特に危険な行動をする時に、重度の外傷を負った場合、或いは外傷によらない心肺機能の不全があった場合、病院での根本的な治療が受けられるまでの間、負傷した本人又は周囲の人により救急処置を適切に行うことができる。
【００３３】
図６〜図９は本発明の他の実施形態を示すもので、図６は携帯具を構成する布体Ｘを拡げた状態（但し、保持部ａに保持された物品ｇの図示を省略してある）で示す平面図、図７は携帯具を構成する布体Ｘを拡げた状態で示す背面図、図８は携帯具を構成する布体Ｘを拡げた状態（但し、保持部ａに保持された物品ｇを仮想線で示してある）で示す平面図、図９は布体Ｘを折り畳んだ状態で示す斜視図である。
【００３４】
本実施形態の携帯具は、銃手入れ用の薬品及び用具が収納された携帯具であり、この携帯具は、物品を保持するための布体Ｘのみで構成されている。なお、本実施形態の携帯具も、図１〜図５の実施形態と同様に布体Ｘを収納するカバーＹを備えていてもよい。
布体Ｘの一方の面ｘ１（おもて面）には、物品ｇが保持される複数の保持部ａ１ａ２・・ａｎが設けられている。これら複数の保持部ａは、それぞれが保持する物品ｇの使用順に又は／及び使用上の組み合わせに応じて配置されるとともに、各保持部ａには、それぞれが保持する物品名が表示されている。
本実施形態では、保持部ａ１０以外の各保持部ａは３辺が布体Ｘに固着された透明な袋状の保持部で構成されている。布体Ｘには、使用時の注意事項が表示され、弾抜け及び弾倉外しの確認の文言が表示されるとともに、手入れ時における弾倉の配置位置が表示されている。
【００３５】
本実施形態では、基本的に、それぞれが保持する物品ｇの使用順に又は／及び使用上の組み合わせに応じて、布体Ｘの面ｘ１の上段、中段、下段に、それぞれ左側から右側に向かって複数の保持部ａが設けられている。
布体Ｘの面ｘ１の上段左端には、安全のために、手入れすべき銃から取り外した弾倉を置く位置の表示と注意喚起の表示（「弾倉定位置・弾抜けはしたか」）がなされ、その近傍には右方向を指す矢印（→）が表示されている。その矢印の先（右側）には、右方向に向かって順に、薬室ブラシｇ１を保持する保持部ａ１、モップｇ２を保持する保持部ａ２、銅ブラシｇ３を保持する保持部ａ３、スパイラルブラシｇ４を保持する保持部ａ４、ナイロンブラシｇ５を保持する保持部ａ５、綿棒ｇ６を保持する保持部ａ６、クリーニングロッド用裁断布ｇ７を保持する保持部ａ７、クリーニングワイヤー用裁断布ｇ８を保持する保持部ａ８、クリーニングペレットｇ９を保持する保持部ａ９がそれぞれ設けられている。以上の保持部ａのうち、保持部ａ１，ａ２，ａ７〜ａ９の物品名の下には、使用方法又は／及び使用上の注意書きが表示されている。
【００３６】
布体Ｘの面ｘ１の中段には、ブロアーブラシｇ１０を保持する保持部ａ１０とクリーニングワイヤーｇ１１を保持する保持部１１がそれぞれ設けられ、また、銅ブラシｇ３、スパイラルブラシｇ４及びナイロンブラシｇ５などによる手入れの手順に関する説明が表示されている。
布体Ｘの面ｘ１の下段には、左端から右方向に向かって順に、手袋ｇ１２を保持する保持部ａ１２、フォーミングクリーナー又はジェルｇ１３を保持する保持部ａ１３、クリーナーｇ１４を保持する保持部ａ１４、ブラシｇ１５を保持する保持部ａ１５、ハンマーｇ１６を保持する保持部ａ１６、クリーニングロッドｇ１７を保持する保持部ａ１７、クリーニングロッドガイドｇ１８を保持する保持部ａ１８、デンタル・ツールｇ１９を保持する保持部ａ１９、カッパーリムーバーｇ２０を保持する保持部ａ２０、ペンライトｇ２１を保持する保持部ａ２１、防錆油ｇ２２を保持する保持部ａ２２、グリースｇ２３を保持する保持部ａ２３がそれぞれ設けられている。以上の保持部ａのうち、保持部ａ１３，ａ１４，ａ１６，ａ１９，ａ２３の物品名の下には、使用方法又は／及び使用上の注意書きが表示されている。
【００３７】
布体Ｘの他方の面ｘ２（うら面）には、銃を手入れするに当たって、弾倉の取り外しと弾抜けを注意喚起する表示（「弾倉は外したか・弾抜けはしたか」）がなされている。
以上のように複数の保持部ａを有し、各保持部ａに薬品・用具が保持された布体Ｘは、仮想線ｅで示す位置に沿って折り畳まれた後、ロール状に巻かれた状態で、布体Ｘに付設された紐ｄで縛られ、携帯具として使用される。
布体Ｘの材質は任意であり、織布、不織布のいずれでもよいし、また、各保持部ａの構成や材質も任意であり、例えば、すべてをゴムバンドで構成してもよい。
【００３８】
以下、銃の手入れを行う場合における本実施形態の携帯具（銃手入れ用の薬品及び用具が収納された携帯具）の使用例を説明する。以下、携帯具に収納された各物品ｇを使用するとは、それらを各保持部ａから取り外して使用することを意味する。
（Ａ）使用例１（クリーニングロッドを使用する場合）
（１）準備
銃の安全装置をかける。
弾倉を表示された定位置に置く。
弾抜けをする。
薬室が空であることを確認する。
（２）外部手入れ
ブロアーブラシｇ１０で埃を吹き飛ばす。
ブラシｇ１５、綿棒ｇ６、手入れ布（ウェス等）で汚れを落とす。
（３）銃の分解
手袋ｇ１２を装着する。
フォーミングクリーナーｇ１３で銃腔内を満たす。
ジェルｇ１３を使用する場合は、クリーニングロッドガイドｇ１８を取り付け、クリーニングロッドｇ１７にモップｇ２を取り付けて銃腔内にジェルｇ１３を塗る。
【００３９】
（４）機関部、薬室、銃腔の順で行う整備
（4-1）機関部の手入れ
クリーナーｇ１４を使う。
ブラシｇ１５、綿棒ｇ６、手入れ布（ウェス等）で汚れを落とす。
デンタル・ツールｇ１９で閉鎖機構の汚れを落とす。
（4-2）薬室の手入れ
ハンマーｇ１６と薬室ブラシｇ１を組み立て、薬室の汚れを落とす。
【００４０】
（4-3）銃腔の手入れ
手入れは必ず薬室から銃口側へ行う。
クリーニングロッドガイドｇ１８を銃に取り付け、クリーニングロッドｇ１７の先端に裁断布ｇ７を取り付けて銃腔内のジェルｇ１３を拭き取る。
クリーニングロッドガイドｇ１８を銃に取り付け、クリーニングロッドｇ１７の先端に裁断布ｇ７を取り付けて銃腔内にカッパーリムーバーｇ２０（ソルベント）を塗る。
銅ブラシｇ３で数回こすり、カッパーリムーバーｇ２０（ソルベント）で浮き上がった汚れを落とす。
スパイラルブラシｇ４で数十回こすり、汚れを掻き落とす。
ナイロンブラシｇ５で数十回こする。
クリーニングロッドｇ１８の先端に裁断布ｇ７を取り付けて銃腔内の汚れを拭き取る。
クリーニングロッドｇ１８の先端にクリーニングペレットｇ９を取り付け、ライフリングの筋がきれいに描かれるまで銃腔内の汚れを拭き取る。
クリーニングロッドｇ１８の先端にクリーニングペレットｇ９を取り付け、防錆油ｇ２２を銃腔内に塗り付ける。
（５）銃の組み立て後の手入れ
グリースｇ２３をボルトヘッドなどの圧力のかかる部分に塗る。
銃の金属表面に手入れ布（ウェス等）で防錆油ｇ２２を塗る。
【００４１】
（Ｂ）使用例２（クリーニングワイヤーを使用する場合）
（１）準備
安全装置をかける。
弾倉を表示された定位置に置く。
弾抜けをする。
薬室が空であることを確認する。
（２）外部手入れ
ブロアーブラシｇ１０で埃を吹き飛ばす。
ブラシｇ１５、綿棒ｇ６、手入れ布（ウェス等）で汚れを落とす。
（３）銃の分解
手袋ｇ１２を装着する。
フォーミングクリーナーｇ１３で銃腔内を満たす。
ジェルｇ１３を使用する場合は、クリーニングワイヤーｇ１１の先端に裁断布ｇ８を取り付け、銃腔内にジェルｇ１３を塗る。
【００４２】
（４）機関部、薬室、銃腔の順で行う整備
（4-1）機関部の手入れ
クリーナーｇ１４を使う。
ブラシｇ１５、綿棒ｇ６、手入れ布（ウェス等）で汚れを落とす。
デンタル・ツールｇ１９で閉鎖機構の汚れを落とす。
（4-２）薬室の手入れ
ハンマーｇ１６と薬室ブラシｇ１を組み立て、薬室の汚れを落とす。
【００４３】
（4-3）銃腔の手入れ
手入れは必ず薬室から銃口側へ行う。
クリーニングワイヤーｇ１１の先端に裁断布ｇ８を取り付け、銃腔内のジェルｇ１３を拭き取る。
クリーニングワイヤーｇ１１の先端に裁断布ｇ８を取り付け、銃腔内にカッパーリムーバーｇ２０（ソルベント）を塗る。
スパイラルブラシｇ４で数十回こすり、汚れを掻き落とす。
ナイロンブラシｇ５で数十回こする。
クリーニングワイヤーｇ１１の先端に裁断布ｇ８を取り付け、銃腔内の汚れを拭き取る。
クリーニングワイヤーｇ１１の先端に裁断布ｇ８を取り付け、防錆油ｇ２２を銃腔内に塗りつける。
（５）銃の組み立て後の手入れ
グリースｇ２３をボルトヘッドなどの圧力のかかる部分に塗る。
銃の金属表面に手入れ布（ウェス等）で防錆油ｇ２２を塗る。
【００４４】
わが国で銃を使用できる者は、銃猟者、射撃競技選手、自衛官、警察官、海上保安官等である。これらの者が使用する銃手入れ具には、（a）個人で携行できる大きさと重量であること、（b）収納される薬品・用具は効果的かつ適切な選定がなされたものであること、（c）収納される薬品・用具は使用する順番に順序よく、若しくは適切な組み合わせがなされるよう配置されていること、（d）使用者に対し、使用時の注意喚起を促すものであること、（e）使用者への手入れ方教育を効果的に行えるものであること、などが求められるが、上述した本発明の携帯具は、これらの要求を全て満足させることができる。特に、何人でも収納された薬品及び用具を適切な使用方法、使用順序、組み合わせで使用することができ、これにより、必要とされる銃の手入れを適切且つ安全に行うことができる。
【００４５】
図１０〜図１２は本発明の他の実施形態を示すもので、図１０は携帯具を構成する布体Ｘを拡げた状態（但し、保持部ａに保持された物品ｇの図示を省略してある）で示す平面図、図１１は同じく携帯具を構成する布体Ｘを拡げた状態（但し、保持部ａに保持された物品ｇを仮想線で示してある）で示す平面図、図１２は布体Ｘを折り畳んだ状態で示す斜視図である。
【００４６】
本実施形態の携帯具は、双眼鏡等の光学機器手入れ用の薬品及び用具が収納された携帯具であり、この携帯具は、物品を保持するための布体Ｘのみで構成されている。なお、本実施形態の携帯具も、図１〜図５の実施形態と同様に布体Ｘを収納するカバーＹを備えていてもよい。
布体Ｘの一方の面ｘ１（おもて面）には、物品ｇが保持される複数の保持部ａ１ａ２・・ａｎが設けられている。これら複数の保持部ａは、それぞれが保持する物品ｇの使用順に又は／及び使用上の組み合わせに応じて配置されるとともに、各保持部ａには、それぞれが保持する物品名が表示されている。
本実施形態では、各保持部ａは３辺が布体Ｘに固着された袋状の保持部で構成されている。布体Ｘには、使用時の注意事項（本実施形態では眼鏡整備要領及びレンズクリーニング要領）が表示されている。
【００４７】
本実施形態では、布体Ｘの面ｘ１の下段に、左側から右側に向かって複数の保持部ａが設けられている。すなわち、左側から右側に向かって順に、ブラシｇ１を保持する保持部ａ１、ブロアーブラシｇ２を保持する保持部ａ２、レンズクリーニング液ｇ３を保持する保持部ａ３、綿棒ａ４を保持する保持部ａ４、レンズクリーニングペーパー及び手入れ布ｇ５を保持する保持部ａ５がそれぞれ設けられている。なお、保持部ａ２には、ブロアーブラシの胴部を保持するゴムバンドｓが付設されている。
【００４８】
布体Ｘの面ｘ１の上段には、眼鏡整備要領とレンズクリーニング要領に関する説明が表示されている。本実施形態では、面ｘ１に透明な袋状の保持部ｂ１，ｂ２が設けられ、この保持部ｂ１，ｂ２に上記説明が表示された紙片を保持させている。眼鏡整備要領とレンズクリーニング要領は、例えば、以下のようなものである。
・眼鏡整備要領
（1）鏡胴に着いた泥等の汚れはブラシで落とす。
（2）水分は手入れ布で拭き取る。
（3）埃はこまめに柔らかいブラシで払い落とす。
・レンズクリーニング要領
（1）ブロアーブラシでレンズ表面の埃を吹き飛ばす。
（2）水分は吹き飛ばした後、手入れ布で拭き取る。
（3）指紋などの汚れは、レンズクリーニング液を１滴、綿棒、もしくはレンズクリーニングペーパーに染み込ませて拭き取る。
（4）レンズクリーニングペーパーを広げて、レンズ表面を円を描くように軽く拭く。
【００４９】
以上のように複数の保持部ａを有し、各保持部ａに薬品・用具が保持された布体Ｘは、仮想線ｅで示す位置に沿って折り畳まれた後、ロール状に巻かれた状態で、布体Ｘに付設された紐ｄで縛られ、携帯具として使用される。
布体Ｘの材質は任意であり、織布、不織布のいずれでもよいし、また、各保持部ａの構成や材質も任意であり、例えば、すべてをゴムバンドで構成してもよい。
【００５０】
以下、双眼鏡等の光学機器の手入れを行う場合における本実施形態の携帯具（双眼鏡等の光学機器手入れ用の薬品及び用具が収納された携帯具）の使用例を説明する。以下、携帯具に収納された各物品ｇを使用するとは、それらを各保持部ａから取り外して使用することを意味する。
（１）本体の外部整備
鏡胴に着いた泥等の汚れをブラシｇ１で落とす。
水分は手入れ布ｇ５で拭き取る。
埃は柔らかいブラシｇ１で払い落とす。
（２）レンズのクリーニング
ブロアーブラシｇ２でレンズ表面の埃を吹き飛ばす。
水分は吹き飛ばした後、手入れ布ｇ５で拭き取る。
指紋などの汚れは、綿棒ｇ４若しくはレンズクリーニングペーパーｇ５にレンズクリーニング液ｇ３を染み込ませて拭き取る。
仕上げに、レンズクリーニングペーパーｇ５を広げてレンズ表面を円を描くように軽く拭く。
【００５１】
双眼鏡等の光学機器手入れ具には、（a）個人で携行できる大きさと重量であること、（b）収納される薬品・用具は効果的かつ適切な選定がなされたものであること、（c）収納される薬品・用具は使用する順番に順序よく、若しくは適切な組み合わせがなされるよう配置されていること、（d）使用者に対し、使用時の注意喚起を促すものであること、（e）使用者への手入れ方教育を効果的に行えるものであること、などが求められるが、上述した本発明の携帯具は、これらの要求を全て満足させることができる。特に、何人でも収納された薬品及び用具を適切な使用方法、使用順序、組み合わせで使用することができ、これにより、必要とされる双眼鏡等の光学機器の手入れを適切且つ安全に行うことができる。
【符号の説明】
【００５２】
Ｘ  布体
Ｙ  カバー
ａ，ａ１〜ａ２３  保持部
ｂ１，ｂ２  保持部
ｃ  連結コード
ｄ  紐
ｅ  仮想線
ｇ，ｇ１〜ｇ２３  物品（医薬品、薬品、用具）
ｓ  ゴムバンド
ｘ１，ｘ２  面
【図１】
2013128739.tif 000003
【図２】
2013128739.tif 000004
【図３】
2013128739.tif 000005
【図４】
2013128739.tif 000006
【図５】
2013128739.tif 000007
【図６】
2013128739.tif 000008
【図７】
2013128739.tif 000009
【図８】
2013128739.tif 000010
【図９】
2013128739.tif 000011
【図１０】
2013128739.tif 000012
【図１１】
2013128739.tif 000013
【図１２】
2013128739.tif 000014